(57)【要約】【課題】  水路構造物における水路勾配の修正及び変更を簡単な作業で行うことができる勾配形成ブロックを製造するための型枠を提供する。【解決手段】  型枠１０は、ベース１１に回転自在に取り付けられた左側板１２，右側板１３，前妻板１４及び後妻板１５とベース１１に傾斜機構１７，１８を介して傾動可能に設けられた可動底板１６とを備え、該可動底板１６は傾斜機構１７，１８による傾き調整によって勾配形成ブロックＢＧの上面に長さ方向に沿う所定の勾配を形成できる。【選択図】  図３
2008088778.tif 000002
【特許請求の範囲】
【請求項１】
長さ方向に沿って所定の勾配を有する上面を有し水路構築用ブロックの流水路に敷設した状態で該上面によって流水路の底面を構成すると共に該底面に所定の勾配を形成する勾配形成ブロックを製造するための型枠であって、
該型枠は、ベースに回転自在に取り付けられた左側板，右側板，前妻板及び後妻板とベースに傾斜機構を介して傾動可能に設けられた可動底板とを備え、該可動底板は傾斜機構による傾き調整によって勾配形成ブロックの上面に長さ方向に沿う所定の勾配を形成する、
ことを特徴とする勾配形成ブロック製造用型枠。
【請求項２】
請求項１に記載の勾配形成ブロック製造用型枠によって製造され、長さ方向に沿って所定の勾配を有する上面を有し水路構築用ブロックの流水路に敷設した状態で該上面によって流水路の底面を構成すると共に該底面に所定の勾配を形成する、
ことを特徴とする勾配形成ブロック。
【発明の詳細な説明】
【技術分野】
【０００１】
本発明は、水路構築用ブロックによって構築された水路構造物の水路に所定の勾配を形成する勾配形成ブロックを製造するための型枠と勾配形成ブロックに関する。
【背景技術】
【０００２】
図１（Ａ）と図１（Ｂ）は水路を構築する際に一般的に用いられるブロックをそれぞれ示す。
【０００３】
図１（Ａ）に示したブロックＢ１は、縦断面略四角形の流水路Ｂ１ａと、該流水路Ｂ１ａを囲む底版部Ｂ１ｂ，左側壁部Ｂ１ｃ，右側壁部Ｂ１ｄ及び頂版部Ｂ１ｅとを有している。流水路Ｂ１ａの底面ｂｆ１は縦断面Ｖ字形を成し、該底面ｂｆ１は底版部Ｂ１ｂの下面並びに頂版部Ｂ１ｅの上面と平行である。図１（Ｂ）に示したブロックＢ２は、縦断面略上向きコ字形の流水路Ｂ２ａと、該流水路Ｂ２ａを囲む底版部Ｂ２ｂ，左側壁部Ｂ２ｃ及び右側壁部Ｂ２ｄとを有している。流水路Ｂ２ａの底面ｂｆ２は縦断面Ｖ字形を成し、該底面ｂｆ２は底版部Ｂ２ｂの下面並びに左右側壁部Ｂ２ｃ，Ｂ２ｄの上面と平行である。
【０００４】
図２は図１（Ａ）に示したブロックＢ１を用いて構築された水路構造物を示す。
【０００５】
この水路構造物ＷＳは前記ブロックＢ１を互いの流水路Ｂ１ａが連続するように複数連結することによって構築されている。各ブロックＢ１の流水路Ｂ１ａによって構成される水路ＷＷの勾配Ｇｗは、所定の勾配を有するように予め作成された基礎ＦＢ上に前記ブロックＢ１を載置することによって得ている。図１（Ｂ）に示したブロックＢ２を用いて水路構造物を構築する場合も同様の方法によって水路の勾配を得ている。
【特許文献１】特開平９−６０１０４
【発明の開示】
【発明が解決しようとする課題】
【０００６】
前記の水路構造物ＷＳにおいて実際上で用いられる水路勾配Ｇｗは数％程度であるため、地震による地殻変動や地盤の陥没等の影響によって水路勾配Ｇｗが０％に近い値になったりマイナス側の値になると所期の水の流れが得られなってしまう。このような場合には、通常、水路構造物ＷＳを構築している複数のブロックＢ１またはＢ２を基礎ＦＢ上から取り除き、基礎ＦＢを再作成した後に再度ブロックＢ１またはＢ２を基礎ＦＢ上に載置する作業が行われている。
【０００７】
また、降水時における水路構造物からの水の溢れ出し及び該溢れ出しによる災害を回避すること等を理由に、施工後の水路構造物ＷＳの水路勾配Ｇｗの値を変更する場合や水路勾配Ｇｗの向きを逆向きに変更するような場合でも、前記同様の作業が行われている。
【０００８】
しかし、水路構築用のブロックＢ１，Ｂ２はそれ自体が重量物であるため、前記各作業は時間及び費用を要するものとなる。特にブロックＢ１，Ｂ２に大きな損傷がなく水路勾配Ｇｗ以外は水路構造物ＷＳとして問題がないような場合でも、水路構造物ＷＳを構築している複数のブロックＢ１またはＢ２を基礎ＦＢ上から取り除く際に亀裂や破損を生じる恐れが高いため、亀裂や破損を生じたブロックＢ１，Ｂ２を新しいものと交換する費用も嵩んでしまう。
【０００９】
本発明は前記事情に鑑みて創作されたもので、その目的とするところは、水路構造物における水路勾配の修正及び変更を簡単な作業で行うことができる勾配形成ブロックを製造するための型枠及び勾配形成ブロックを提供することにある。
【課題を解決するための手段】
【００１０】
前記目的を達成するため、本発明の勾配形成ブロック製造用型枠は、長さ方向に沿って所定の勾配を有する上面を有し水路構築用ブロックの流水路に敷設した状態で該上面によって流水路の底面を構成すると共に該底面に所定の勾配を形成する勾配形成ブロックを製造するための型枠であって、該型枠は、ベースに回転自在に取り付けられた左側板，右側板，前妻板及び後妻板とベースに傾斜機構を介して傾動可能に設けられた可動底板とを備え、該可動底板は傾斜機構による傾き調整によって勾配形成ブロックの上面に長さ方向に沿う所定の勾配を形成する、ことをその特徴とする。
【００１１】
この勾配形成ブロック製造用型枠によれば、傾斜機構により可動底板の傾きを調整することによって、長さ方向に沿って所定の勾配を有する上面を有し水路構築用ブロックの流水路に敷設した状態で該上面によって流水路の底面を構成すると共に該底面に所定の勾配を形成する勾配形成ブロックを製造することができる。
【００１２】
また、本発明の勾配形成ブロックは、前記勾配形成ブロック製造用型枠によって製造され、長さ方向に沿って所定の勾配を有する上面を有し水路構築用ブロックの流水路に敷設した状態で該上面によって流水路の底面を構成すると共に該底面に所定の勾配を形成する、ことをその特徴とする。
【００１３】
この勾配形成ブロックによれば、水路構築用ブロックの流水路に敷設することによりその上面によって流水路の底面を構成すると共に該底面に所定の勾配を形成できる。つまり、水路構造物を構成する水路構築用ブロックの流水路に勾配形成ブロックを適宜敷設することにより、水路構造物における水路勾配の修正及び変更の作業を簡単に行うことができ該作業に要する時間及び費用を軽減することができる。
【発明の効果】
【００１４】
本発明によれば、水路構造物における水路勾配の修正及び変更を簡単な作業で行うことができる勾配形成ブロックを製造するための型枠及び勾配形成ブロックを提供することができる。
【００１５】
本発明の前記目的とそれ以外の目的と、構成特徴と、作用効果は、以下の説明と添付図面によって明らかとなる。
【発明を実施するための最良の形態】
【００１６】
［第１実施形態］
図３〜図１０は本発明の第１実施形態を示す。図３は型枠（型枠本体と蓋板）の斜視図、図４は図３に示した型枠本体の上面図、図５は図４のａ−ａ線断面図、図６は図４のｂ−ｂ線断面図、図７は図１に示した型枠による勾配形成ブロックの製造プロセス説明図、図８は型枠により製造された勾配形成ブロックを下面側から見た斜視図、図９は勾配形成ブロックと水路構築用ブロックとの関係説明図、図１０は図９（Ａ）に示したブロックを用いて構築された水路構造物に対して勾配形成ブロックを用いて水路勾配の修正及び変更を行う場合の説明図である。
【００１７】
まず、図３〜図６を参照して、型枠（型枠本体と蓋板）の構成を説明する。
【００１８】
この型枠は図３に示した型枠本体１０と蓋板１９とから成る。型枠本体１０はベース１１と左側板１２と右側板１３と前妻板１４と後妻板１５と可動底板１６と前側傾斜機構１７と後側傾斜機構１８とを備えている。
【００１９】
ベース１１は直方体形状を成し、左側面と右側面に３つのアーム１１ａをそれぞれ有し、前面と後面に２つのアーム１１ａをそれぞれ有している。
【００２０】
左側板１２は矩形板状を成し、下面に３つのアーム１２ａを有している。各アーム１２ａはベース１１の左側面の各アーム１１ａにそれぞれ回転自在に支持されている。図３から分かるように、型枠本体１０を閉じたときに左側板１２の前端面は前妻板１４の内面左端部に当接し、左側板１２の後端面は後妻板１５の内面左端部に当接する。
【００２１】
右側板１３は左側板１２と同一サイズの矩形板状を成し、下面に３つのアーム１３ａを有している。各アーム１３ａはベース１１の右側面の各アーム１１ａにそれぞれ回転自在に支持されている。図３から分かるように、型枠本体１０を閉じたときに右側板１３の前端面は前妻板１４の内面右端部に当接し、右側板１３の後端面は後妻板１５の内面右端部に当接する。
【００２２】
前妻板１４は矩形板状を成し、下面に２つのアーム１４ａを有している。各アーム１４ａはベース１１の前面の各アーム１１ａにそれぞれ回転自在に支持されている。また、前妻板１４の内面上部には、可動底板１６と同一幅を有する合成ゴム製の矩形板状のパッキン１４ｂが固定されている。図３から分かるように、型枠本体１０を閉じたときの前妻板１４及びパッキン１４ｂの高さは左側板１２及び右側板１３の高さよりも高く、型枠本体１０を閉じたときにパッキン１４ｂの内面には可動底板１６の前端が当接する。
【００２３】
後妻板１５は前妻板１３と同一サイズの矩形板状を成し、下面に２つのアーム１５ａを有している。各アーム１５ａはベース１１の後面の各アーム１１ａにそれぞれ回転自在に支持されている。また、後妻板１５の内面上部には、前妻板１４と同一サイズの矩形板状を成す合成ゴム製のパッキン１５ｂが固定されている。図３から分かるように、型枠本体１０を閉じたときの後妻板１５及びパッキン１５ｂの高さは左側板１２及び右側板１３の高さよりも高く、型枠本体１０を閉じたときにパッキン１５ｂの内面には可動底板１６の後端が当接する。
【００２４】
可動底板１６は所定厚さで縦断面逆Ｖ字形の矩形板から成り、幅方向の両端縁に合成ゴム製の直線状のパッキン（図示省略）を有している。また、可動底板１６の下面には直方体形状を成すフレーム１６ａが固定されている。さらに、フレーム１６ａの下面４隅には長穴付きのブラケット１６ｂが固定されている。型枠本体１０を閉じたときに可動底板１６の左側パッキンは左側板１２の内面に当接し、可動底板１６の右側パッキンは右側板１３の内面に当接する。
【００２５】
前側傾斜機構１７は、ベース１１の上面前部に前後に間隔をおいて固定された２つの固定部１７ａ及び１７ｂと、２つの固定部１７ａ及び１７ｂの左右中央に回転自在に設けられたねじロッド１７ｃと、ねじロッド１７ｃの前端に設けられた６角柱状の操作部１７ｃ１と、ネジロッド１７ｃに螺合されたナット１７ｄと、前側固定部１７ａの左右両側にその一端を回転自在に支持された左右一対の第１リンク１７ｅと、後側固定部１７ｂの左右両側にその一端を回転自在に支持された左右一対の第２リンク１７ｆとを有しており、各第１リンク１７ｅの他端は第２リンク１７ｆの略中間部にそれぞれ回転自在に支持され、各第２リンク１７ｆの他端は可動底板１６の２つの前側ブラケット１６ｂの長穴にそれぞれ回転自在に支持されている。つまり、操作部１７ｃ１を所定方向に回転させてナット１７ｄを前側固定部１７ａに近寄らせると第１，第２リンク１７ｅ，１７ｆの形態が変化して可動底板１６の前部が上昇し、逆にナット１７ｄを後側固定部１７ｂに近寄らせると第１，第２リンク１７ｅ，１７ｆの形態が変化して可動底板１６の前部が下降する。
【００２６】
後側傾斜機構１８は、ベース１１の上面後部に前後に間隔をおいて固定された２つの固定部１８ａ及び１８ｂと、２つの固定部１８ａ及び１８ｂの左右中央に回転自在に設けられたねじロッド１８ｃと、ねじロッド１８ｃの後端に設けられた６角柱状の操作部１８ｃ１と、ネジロッド１８ｃに螺合されたナット１８ｄと、後側固定部１８ａの左右両側にその一端を回転自在に支持された左右一対の第１リンク１８ｅと、前側固定部１８ｂの左右両側にその一端を回転自在に支持された左右一対の第２リンク１８ｆとを有しており、各第１リンク１８ｅの他端は第２リンク１８ｆの略中間部にそれぞれ回転自在に支持され、各第２リンク１８ｆの他端は可動底板１６の２つの後側ブラケット１６ｂの長穴にそれぞれ回転自在に支持されている。つまり、操作部１８ｃ１を所定方向に回転させてナット１８ｄを後側固定部１８ａに近寄らせると第１，第２リンク１８ｅ，１８ｆの形態が変化して可動底板１６の後部が上昇し、逆にナット１８ｄを前側固定部１８ｂに近寄らせると第１，第２リンク１８ｅ，１８ｆの形態が変化して可動底板１６の後部が下降する。
【００２７】
蓋板１９は、２つの平板部１９ａと、中央の屈曲板部１９ｂと、前後２つの屈曲板部１９ｃとを有している。蓋板１９の全体の長さは型枠本体１０を閉じたときのパッキン１４ｂとパッキン１５ｂとの間隔よりも僅かに大きく、全体の幅は型枠本体１０を閉じたときの左側板１２の外面と右側板１３の外面との間隔にほぼ一致している。
【００２８】
２つの平板部１９ａは所定厚さの板材から成り、長さ方向両端部をそれぞれ折り曲げて形成した縦壁１９ａ１を有している。２つの平板部１９ａの長さは同じであり、各平板部１９ａの縦壁１９ａ１の高さも全て同じである。
【００２９】
中央の屈曲板部１９ｂは所定厚さの板材から成り、縦断面逆Ｖ字形の屈曲部分１９ｂ１を幅方向中央に有し、型枠本体１０を閉じたときの左側板１２の上面と右側板１３の上面とそれぞれ向き合う平面部分１９ｂ２を屈曲部分１９ｂ１の幅方向両側に連続して有している。また、屈曲部分１９ｂ１の頂点に近い位置にはコンクリート打設孔１９ｂ３が形成されている。この屈曲板部１９ｂは、各平面部分１９ｂ２の下面が平板部１９ａの下面と面一となるように、その長さ方向両端縁をその長さ方向両側に位置する２つの平板部１９ａの縦壁１９ａ１にそれぞれ固定されている。
【００３０】
前後２つの屈曲板部１９ｃは所定厚さの板材から成り、縦断面逆Ｖ字形の屈曲部分１９ｃ１を幅方向中央に有し、型枠本体１０を閉じたときの左側板１２の上面と右側板１３の上面とそれぞれ向き合う平面部分１９ｃ２を屈曲部分１９ｃ１の幅方向両側に連続して有している。各屈曲板部１９ｃの縦断面形状は中央の屈曲板部１９ｂと同じであるが、各屈曲板部１９ｃの長さは中央の屈曲板部１９ｂよりも短い。また、屈曲部分１９ｃ１の頂点に近い位置には空気抜き孔１９ｃ３が形成されている。各屈曲板部１９ｃは、各平面部分１９ｃ２の下面が平板部１９ａの下面と面一となるように、その長さ方向一端縁をその長さ方向片側に位置する１つの平板部１９ａの縦壁１９ａ１にそれぞれ固定されている。
【００３１】
次に、図７及び図８を参照して、勾配形成ブロックの製造プロセスと製造された勾配形成ブロックの形状について説明する。
【００３２】
図８に示した勾配形成ブロックＢＧを製造するときには、前側傾斜機構１７の操作部１７ｃ１と後側傾斜機構１８の操作部１８ｃ１をそれぞれ回転して可動底板１６の上面高さ位置及び上面勾配（長さ方向に沿う勾配）を調整する。そして、左側板１２と右側板１３を閉じ、左側板１２の上面と右側板１３の上面に蓋板１９を乗せ、前妻板１４と後妻板１５を閉じ、前妻板１４と後妻板１５を図示省略の型締め機構によって内側に締め付ける。
【００３３】
図７に示した型閉じ状態では、左側板１２の前端面は前妻板１４の内面左端部に当接し、左側板１２の後端面は後妻板１５の内面左端部に当接する。また、右側板１３の前端面は前妻板１４の内面右端部に当接し、右側板１３の後端面は後妻板１５の内面右端部に当接する。さらに、可動底板１６の左側パッキンは左側板１２の内面に当接し、可動底板１６の右側パッキンは右側板１３の内面に当接し、可動底板１６の前端は前妻板１４のパッキン１４ｂの内面に当接し、可動底板１６の後端は後妻板１５のパッキン１５ｂの内面に当接する。
【００３４】
蓋板１９はその前後端を前妻板１４のパッキン１４ｂと後妻板１５のパッキン１５ｂとに挟み込まれた状態となるが、長さ方向中央部分の浮き上がりを防止するために、望ましくは、型閉じ後に蓋板１９の幅方向両側を左側板１２の上面と右側板１３の上面にボルト等を用いて固定する。
【００３５】
そして、蓋板１９の中央の屈曲板部１９ｂのコンクリート打設孔１９ｂ３を通じて、型枠本体１０内、詳しくは、左側板１２と右側板１３と前妻板１４のパッキン１４ｂと後妻板１５のパッキン１５ｂと可動底板１６と蓋板１９で囲まれる空間内にコンクリートを打設する。コンクリートの打設は蓋板１９の前後２つの屈曲板部１９ｃの空気抜き孔１９ｃ３からコンクリートが漏れ出すまで継続し、これにより前記空間内にコンクリートが密に充填される。
【００３６】
そして、打設したコンクリートを養生して硬化させる。硬化後は、蓋板１９の固定を解除すると共に型締め機構による前妻板１４と後妻板１５の締め付けを解除し、蓋板１９を外し、前妻板１４と後妻板１５を開き、左側板１２と右側板１３を開き、製造された勾配形成ブロックＢＧ（図８参照）を取り出す。
【００３７】
製造後の勾配形成ブロックＢＧ（図８は勾配形成ブロックＢＧを下面側から見た斜視図）は所定幅Ｗと所定長さＬを有し、可動底板１６の前端の上面高さ位置と後端の上面高さ位置に基づいて定められた前端厚さｔ１と後端厚さｔ２を有する。また、勾配形成ブロックＢＧの上面には、可動底板１６の上面の形状及び勾配に準じた形状及び勾配（長さ方向に沿う勾配）を有する上面ＢＧａが形成されている。さらに、勾配形成ブロックＢＧの下面側には、蓋板１９の２つの平板部１９ａの下面形状に準じた２つの平面部分ＢＧｂと、蓋板１９の中央の屈曲板部１９ｂの屈曲部分１９ｂ１の下面形状に準じた縦断面Ｖ字形の係合突起ＢＧｃと、蓋板１９の前後２つの屈曲板部１９ｃの屈曲部分１９ｃ１の下面形状に準じた縦断面Ｖ字形の係合突起ＢＧｃが形成されている。
【００３８】
次に、図９（Ａ）及び図９（Ｂ）を参照して、勾配形成ブロックと水路構築用ブロックとの関係について説明する。
【００３９】
図９（Ａ）に示したブロックＢ１は図１（Ａ）に示したブロックＢ１と同じであり、図９（Ｂ）に示したブロックＢ２は図１（Ｂ）に示したブロックＢ２と同じである。
【００４０】
ブロックＢ１用として製造された勾配形成ブロックＢＧは、上面ＢＧａの幅Ｗ及び長さＬがブロックＢ１の流水路Ｂ１ａの幅及び長さにほぼ一致しており、上面ＢＧａの縦断面形は流水路Ｂ１ａの底面ｂｆ１の縦断面形（縦断面Ｖ字形）とほぼ一致している。また、勾配形成ブロックＢＧの下面の中央に形成された係合突起ＢＧｃの下面の縦断面形（縦断面Ｖ字形）と勾配形成部材ＢＧの下面の前後に形成された２つの係合突起ＢＧｄの下面の縦断面形（縦断面Ｖ字形）は、それぞれ流水路Ｂ１ａの底面ｂｆ１の縦断面形（縦断面Ｖ字形）とほぼ一致している。
【００４１】
この勾配形成ブロックＢＧは、ブロックＢ１の流水路Ｂ１ａの一端側から挿入して該流水路Ｂ１ａに敷設することができる。勾配形成ブロックＢＧの下面の中央に形成された係合突起ＢＧｃの下面の縦断面形（縦断面Ｖ字形）と勾配形成部材ＢＧの下面の前後に形成された２つの係合突起ＢＧｄの下面の縦断面形（縦断面Ｖ字形）は、それぞれ流水路Ｂ１ａの底面ｂｆ１の縦断面形（縦断面Ｖ字形）とほぼ一致しているため、敷設後の勾配形成ブロックＢＧの下面側の各係合突起ＢＧｃ，ＢＧｄは流水路Ｂ１ａの底面ｂｆ１に嵌り込んだような状態となる。また、敷設後の勾配形成ブロックＢＧの上面ＢＧａは流水路Ｂ１ａの新たな底面となり、該底面は勾配形成ブロックＢＧの上面ＢＧａの勾配に準じた勾配を有することになる。
【００４２】
一方、ブロックＢ２用として製造された勾配形成ブロックＢＧは、上面ＢＧａの幅Ｗ及び長さＬがブロックＢ２の流水路Ｂ２ａの幅及び長さにほぼ一致しており、上面ＢＧａの縦断面形は流水路Ｂ２ａの底面ｂｆ２の縦断面形（縦断面Ｖ字形）とほぼ一致している。また、勾配形成ブロックＢＧの下面の中央に形成された係合突起ＢＧｃの下面の縦断面形（縦断面Ｖ字形）と勾配形成部材ＢＧの下面の前後に形成された２つの係合突起ＢＧｄの下面の縦断面形（縦断面Ｖ字形）は、それぞれ流水路Ｂ２ａの底面ｂｆ２の縦断面形（縦断面Ｖ字形）とほぼ一致している。
【００４３】
この勾配形成ブロックＢＧは、ブロックＢ２の流水路Ｂ２ａの上側から挿入して該流水路Ｂ２ａに敷設することができる。勾配形成ブロックＢＧの下面の中央に形成された係合突起ＢＧｃの下面の縦断面形（縦断面Ｖ字形）と勾配形成部材ＢＧの下面の前後に形成された２つの係合突起ＢＧｄの下面の縦断面形（縦断面Ｖ字形）は、それぞれ流水路Ｂ２ａの底面ｂｆ２の縦断面形（縦断面Ｖ字形）とほぼ一致しているため、敷設後の勾配形成ブロックＢＧの下面側の各係合突起ＢＧｃ，ＢＧｄは流水路Ｂ２ａの底面ｂｆ２に嵌り込んだような状態となる。また、敷設後の勾配形成ブロックＢＧの上面ＢＧａは流水路Ｂ２ａの新たな底面となり、該底面は勾配形成ブロックＢＧの上面ＢＧａの勾配に準じた勾配を有することになる。
【００４４】
次に、図１０を参照し、且つ、図２を引用して、図９（Ａ）に示したブロックＢ１を用いて構築された水路構造物ＷＳに対して勾配形成ブロックＢＧを用いて水路勾配の修正及び変更を行う方法について説明する。
【００４５】
図２に示した水路構造物ＷＳにあって、地震による地殻変動や地盤の陥没等の影響によって水路勾配Ｇｗが０％に近い値になったりマイナス側の値になって所期の水の流れが得られなったときには、水路構造物ＷＳを構成する少なくとも１つのブロックＢ１を基礎ＦＢ上から取り除き、取り除いた後に生じるスペースを利用して、予め用意した複数の勾配形成ブロックＢＧ、具体的には、上面ＢＧａの勾配が同じで前端高さｔ１及び後端高さｔ２が異なる複数の勾配形成ブロックＢＧを基礎ＦＢ上の各ブロックＢ１の流水路Ｂ１ａ内に順次挿入する。そして、先に取り除いたブロックＢ１の流水路Ｂ１ａに勾配形成ブロックＢＧを敷設したものを基礎ＦＢ上に載置する。
【００４６】
予め用意した複数の勾配形成ブロックＢＧは段差なく連なるように各々の前端高さｔ１及び後端高さｔ２が設定されているので、水路ＷＷはこれら勾配形成ブロックＢＧにより新たに形成される水路勾配Ｇｗを有するものとなる（図１０参照）。
【００４７】
前記の勾配形成ブロックＢＧは水路勾配Ｇｗの修正だけでなく、施工後の水路構造物ＷＳの水路勾配Ｇｗの値を変更する場合や水路勾配Ｇｗの向きを逆向きに変更する場合にも用いることができ、この水路勾配Ｇｗの変更に係る作業も前記と同様に行うことができる。
【００４８】
また、図９（Ｂ）に示したブロックＢ２を用いて水路構造物が構築されている場合には、水路構造物ＷＳを構成するブロックＢ２を基礎ＦＢ上から取り除くことなく、基礎ＦＢ上の各ブロックＢ２の流水路Ｂ２ａにその上側から予め用意した複数の勾配形成ブロックＢＧを順次挿入して敷設することによって、前記同様の水路勾配の修正と変更を行うことができる。
【００４９】
このように、前記勾配形成ブロックＢＧによれば、水路構築用ブロックＢ１，Ｂ２の流水路Ｂ１ａ，Ｂ２ａに敷設することによりその上面によって流水路Ｂ１ａ，Ｂ２ａの底面を構成すると共に該底面に所定の勾配を形成できる。つまり、水路構造物ＷＳを構成する水路構築用ブロックＢ１，Ｂ２の流水路Ｂ１ａ，Ｂ２ａに勾配形成ブロックＢＧを敷設することにより、水路構造物ＷＳにおける水路勾配Ｇｗの修正及び変更の作業を簡単に行うことができ該作業に要する時間及び費用を軽減することができる。しかも、勾配形成ブロックＢＧの下面側には部分的に係合突起ＢＧｃ，ＢＧｄを設けているので、下面全体に同一縦断面形の係合突起を形成する場合には比べて材料の節約を図って勾配形成ブロックＢＧの単価を低減することができる。
【００５０】
また、前記型枠（型枠本体１０及び蓋板１９）によれば、必要とする幅Ｗ及び長さＬと上面勾配と前端厚さｔ１及び後端ｔ２と下面側の係合突起ＢＧｃ，ＢＧｄを有する勾配形成ブロックＢＧ、即ち、水路構造物ＷＳにおける水路勾配Ｇｗの修正及び変更に適した勾配形成ブロックＢＧを任意に、且つ、的確に製造することができる。
【００５１】
尚、図９（Ａ）及び図９（Ｂ）には流水路Ｂ１ａ，Ｂ２ａの底面ｂｆ１，ｂｆ２と左右内壁との境に境界線を便宜上記してあるが、両者の境に丸み付けや面取りが施されている場合にはこれに対応する丸み付けや面取りを勾配形成ブロックＢＧの下面両側縁に施せばよく、このような勾配形成ブロックＢＧは型枠本体１０の左側板１２と右側板１３の内面上端縁に丸み付けや面取りに対応する突条を設けることで簡単に形成できる。
【００５２】
また、図８には計３つの係合突起ＢＧｃ，ＢＧｄを下面側に形成した水路構成ブロックＢＧを示してあるが、係合突起は少なくとも２個あれば用をなすものであり、該係合突起の数及び位置は蓋板１９の形状を変えることによって簡単に変更できることは言うまでもない。
【００５３】
［第２実施形態］
図１１〜図１３は本発明の第２実施形態を示す。図１１（Ａ）及び図１１（Ｂ）は水路構築用ブロックの斜視図、図１２は図１１（Ａ）及び図１１（Ｂ）に示した水路構築用ブロックに適合した勾配形成ブロックを製造する際に用いられる蓋板の斜視図、図１３は型枠により製造された勾配形成ブロックを下面側から見た斜視図である。
【００５４】
図１１（Ａ）及び図１１（Ｂ）に示したブロックＢ１，Ｂ２が図９（Ａ）及び図９（Ｂ）に示したブロックＢ１，Ｂ２と異なるところは、流水路Ｂ１ａ，Ｂ２ａの底面ｂｆ１ａ，ｂｆ２ａが縦断面Ｕ字形を成す点にある。
【００５５】
このようなブロックＢ１，Ｂ２に適合した勾配形成ブロックＢＧを製造する際には前記蓋板１９に変えて図１２に示した蓋板２０を用いればよい。
【００５６】
この蓋板２０は、２つの平板部２０ａと、中央の湾曲板部２０ｂと、前後２つの湾曲板部２０ｃとを有している。蓋板２０の全体の長さは型枠本体１０を閉じたときのパッキン１４ｂとパッキン１５ｂとの間隔よりも僅かに大きく、全体の幅は型枠本体１０を閉じたときの左側板１２の外面と右側板１３の外面との間隔にほぼ一致している。
【００５７】
２つの平板部２０ａは所定厚さの板材から成り、長さ方向両端部をそれぞれ折り曲げて形成した縦壁２０ａ１を有している。２つの平板部２０ａの長さは同じであり、各平板部２０ａの縦壁２０ａ１の高さも全て同じである。
【００５８】
中央の湾曲板部２０ｂは所定厚さの板材から成り、縦断面逆Ｕ字形の湾曲部分２０ｂ１を幅方向中央に有し、型枠本体１０を閉じたときの左側板１２の上面と右側板１３の上面とそれぞれ向き合う平面部分２０ｂ２を湾曲部分２０ｂ１の幅方向両側に連続して有している。また、湾曲部分２０ｂ１の頂点に近い位置にはコンクリート打設孔２０ｂ３が形成されている。この湾曲板部２０ｂは、各平面部分２０ｂ２の下面が平板部２０ａの下面と面一となるように、その長さ方向両端縁をその長さ方向両側に位置する２つの平板部２０ａの縦壁２０ａ１にそれぞれ固定されている。
【００５９】
前後２つの湾曲板部２０ｃは所定厚さの板材から成り、縦断面逆Ｕ字形の湾曲部分２０ｃ１を幅方向中央に有し、型枠本体１０を閉じたときの左側板１２の上面と右側板１３の上面とそれぞれ向き合う平面部分２０ｃ２を湾曲部分２０ｃ１の幅方向両側に連続して有している。各湾曲板部２０ｃの縦断面形状は中央の湾曲板部２０ｂと同じであるが、各湾曲板部２０ｃの長さは中央の湾曲板部２０ｂよりも短い。また、湾曲部分２０ｃ１の頂点に近い位置には空気抜き孔２０ｃ３が形成されている。各湾曲板部２０ｃは、各平面部分２０ｃ２の下面が平板部２０ａの下面と面一となるように、その長さ方向一端縁をその長さ方向片側に位置する１つの平板部２０ａの縦壁２０ａ１にそれぞれ固定されている。
【００６０】
図１２に示した蓋板２０及び型枠本体１０を用いて勾配形成ブロックＢＧを製造する際のプロセスは蓋板１９及び型枠本体１０を用いて勾配形成ブロックＢＧを製造する場合と同じである。
【００６１】
製造後の勾配形成ブロックＢＧ（図１３は勾配形成ブロックＢＧを下面側から見た斜視図）は所定幅Ｗと所定長さＬを有し、可動底板１６の前端の上面高さ位置と後端の上面高さ位置に基づいて定められた前端厚さｔ１と後端厚さｔ２を有する。また、勾配形成ブロックＢＧの上面には、可動底板１６の上面の形状及び勾配に準じた形状及び勾配（長さ方向に沿う勾配）を有する上面ＢＧａが形成されている。さらに、勾配形成ブロックＢＧの下面側には、蓋板２０の２つの平板部２０ａの下面形状に準じた２つの平面部分ＢＧｂと、蓋板２０の中央の湾曲板部２０ｂの湾曲部分２０ｂ１の下面形状に準じた縦断面Ｕ字形の係合突起ＢＧｃ’と、蓋板２０の前後２つの湾曲板部２０ｃの湾曲部分２０ｃ１の下面形状に準じた縦断面Ｕ字形の係合突起ＢＧｃ’が形成されている。
【００６２】
ブロックＢ１用として製造された勾配形成ブロックＢＧは、ブロックＢ１の流水路Ｂ１ａの一端側から挿入して該流水路Ｂ１ａに敷設することができる。勾配形成ブロックＢＧの下面の中央に形成された係合突起ＢＧｃ’の下面の縦断面形（縦断面Ｕ字形）と勾配形成部材ＢＧの下面の前後に形成された２つの係合突起ＢＧｄ’の下面の縦断面形（縦断面Ｕ字形）は、それぞれ流水路Ｂ１ａの底面ｂｆ１ａの縦断面形（縦断面Ｕ字形）とほぼ一致しているため、敷設後の勾配形成ブロックＢＧの下面側の各係合突起ＢＧｃ’，ＢＧｄ’は流水路Ｂ１ａの底面ｂｆ１ａに嵌り込んだような状態となる。また、敷設後の勾配形成ブロックＢＧの上面ＢＧａは流水路Ｂ１ａの新たな底面となり、該底面は勾配形成ブロックＢＧの上面ＢＧａの勾配に準じた勾配を有することになる。
【００６３】
一方、ブロックＢ２用として製造された勾配形成ブロックＢＧは、ブロックＢ２の流水路Ｂ２ａの上側から挿入して該流水路Ｂ２ａに敷設することができる。勾配形成ブロックＢＧの下面の中央に形成された係合突起ＢＧｃ’の下面の縦断面形（縦断面Ｕ字形）と勾配形成部材ＢＧの下面の前後に形成された２つの係合突起ＢＧｄ’の下面の縦断面形（縦断面Ｕ字形）は、それぞれ流水路Ｂ２ａの底面ｂｆ２ａの縦断面形（縦断面Ｕ字形）とほぼ一致しているため、敷設後の勾配形成ブロックＢＧの下面側の各係合突起ＢＧｃ’，ＢＧｄ’は流水路Ｂ２ａの底面ｂｆ２ａに嵌り込んだような状態となる。また、敷設後の勾配形成ブロックＢＧの上面ＢＧａは流水路Ｂ２ａの新たな底面となり、該底面は勾配形成ブロックＢＧの上面ＢＧａの勾配に準じた勾配を有することになる。
【００６４】
図１１（Ａ）及び図１１（Ｂ）に示したブロックＢ１，Ｂ２を用いて構築された水路構造物ＷＳに対して図１３に示した勾配形成部材ＢＧを用いて水路勾配の修正及び変更を行う方法は第１実施形態で述べた方法と同じである。
【００６５】
また、前記勾配形成ブロックＢＧによって得られる作用効果、並びに、型枠（型枠本体１０及び蓋板２０）によって得られる作用効果は、第１実施形態で述べた作用効果と同じである。
【００６６】
尚、図１１（Ａ）及び図１１（Ｂ）には流水路Ｂ１ａ，Ｂ２ａの底面ｂｆ１ａ，ｂｆ２ａと左右内壁との境に境界線を便宜上記してあるが、両者の境に丸み付けや面取りが施されている場合にはこれに対応する丸み付けや面取りを勾配形成ブロックＢＧの下面両側縁に施せばよく、このような勾配形成ブロックＢＧは型枠本体１０の左側板１２と右側板１３の内面上端縁に丸み付けや面取りに対応する突条を設けることで簡単に形成できる。
【００６７】
また、図１３には計３つの係合突起ＢＧｃ’，ＢＧｄ’を下面側に形成した水路構成ブロックＢＧを示してあるが、係合突起は少なくとも２個あれば用をなすものであり、該係合突起の数及び位置は蓋板２０９の形状を変えることによって簡単に変更できることは言うまでもない。
【００６８】
［第３実施形態］
図１４及び図１５は本発明の第３実施形態を示す。図１４（Ａ）及び図１４（Ｂ）は水路構築用ブロックの斜視図、図１５は型枠によって製造された勾配形成ブロックを下面側から見た斜視図である。
【００６９】
図１４（Ａ）及び図１４（Ｂ）に示したブロックＢ１，Ｂ２が図９（Ａ）及び図９（Ｂ）に示したブロックＢ１，Ｂ２と異なるところは、流水路Ｂ１ａ，Ｂ２ａの底面ｂｆ１ｂ，ｂｆ２ｂが平坦面から成る点にある。
【００７０】
このようなブロックＢ１，Ｂ２に適合した勾配形成ブロックＢＧを形成する際には蓋板１９を用いずに型枠本体１０のみを用いればよい。
【００７１】
図１５に示した勾配形成ブロックＢＧを製造するときには、前側傾斜機構１７の操作部１７ｃ１と後側傾斜機構１８の操作部１８ｃ１をそれぞれ回転して可動底板１６の上面高さ位置及び上面勾配（長さ方向に沿う勾配）を調整する。そして、左側板１２と右側板１３を閉じ、前妻板１４と後妻板１５を閉じ、前妻板１４と後妻板１５を図示省略の型締め機構によって内側に締め付ける。
【００７２】
型閉じ状態では、左側板１２の前端面は前妻板１４の内面左端部に当接し、左側板１２の後端面は後妻板１５の内面左端部に当接する。また、右側板１３の前端面は前妻板１４の内面右端部に当接し、右側板１３の後端面は後妻板１５の内面右端部に当接する。さらに、可動底板１６の左側パッキンは左側板１２の内面に当接し、可動底板１６の右側パッキンは右側板１３の内面に当接し、可動底板１６の前端は前妻板１４のパッキン１４ｂの内面に当接し、可動底板１６の後端は後妻板１５のパッキン１５ｂの内面に当接する。
【００７３】
そして、型枠本体１０内、詳しくは、左側板１２と右側板１３と前妻板１４のパッキン１４ｂと後妻板１５のパッキン１５ｂと可動底板１６で囲まれる空間内にコンクリートを打設する。
【００７４】
そして、打設したコンクリートを養生して硬化させる。硬化後は、型締め機構による前妻板１４と後妻板１５の締め付けを解除し、前妻板１４と後妻板１５を開き、左側板１２と右側板１３を開き、製造された勾配形成ブロックＢＧ（図１５参照）を取り出す。
【００７５】
製造後の勾配形成ブロックＢＧ（図１５は勾配形成ブロックＢＧを下面側から見た斜視図）は所定幅と所定長さを有し、可動底板１６の前端の上面高さ位置と後端の高さ位置に基づいて定められた前端厚さｔ１と後端厚さｔ２を有する。また、勾配形成ブロックＢＧの上面には、可動底板１６の上面の形状及び勾配に準じた形状及び勾配（長さ方向に沿う勾配）を有する上面ＢＧａが形成されている。さらに、勾配形成ブロックＢＧの下面側には、その全域において平面部ＢＧｂが形成されている。
【００７６】
ブロックＢ１用として製造された勾配形成ブロックＢＧは、ブロックＢ１の流水路Ｂ１ａの一端側から挿入して該流水路Ｂ１ａに敷設することができる。また、敷設後の勾配形成ブロックＢＧの上面ＢＧａは流水路Ｂ１ａの新たな底面となり、該底面は勾配形成ブロックＢＧの上面ＢＧａの勾配に準じた勾配を有することになる。
【００７７】
一方、ブロックＢ２用として製造された勾配形成ブロックＢＧは、ブロックＢ２用として製造された勾配形成ブロックＢＧは、ブロックＢ２の流水路Ｂ２ａの上側から挿入して該流水路Ｂ２ａに敷設することができる。また、敷設後の勾配形成ブロックＢＧの上面ＢＧａは流水路Ｂ２ａの新たな底面となり、該底面は勾配形成ブロックＢＧの上面ＢＧａの勾配に準じた勾配を有することになる。
【００７８】
図１４（Ａ）及び図１４（Ｂ）に示したブロックＢ１，Ｂ２を用いて構築された水路構造物ＷＳに対して図１５に示した勾配形成部材ＢＧを用いて水路勾配の修正及び変更を行う方法は第１実施形態で述べた方法と同じである。
【００７９】
また、前記勾配形成ブロックＢＧによって得られる作用効果、並びに、型枠（型枠本体１０）によって得られる作用効果は、第１実施形態で述べた作用効果と実質的に同じである。
【００８０】
尚、図１１（Ａ）及び図１１（Ｂ）には流水路Ｂ１ａ，Ｂ２ａの底面ｂｆ１ｂ，ｂｆ２ｂと左右内壁との境に境界線を便宜上記してあるが、両者の境に丸み付けや面取りが施されている場合にはこれに対応する丸み付けや面取りを勾配形成ブロックＢＧの下面両側縁に施せばよく、このような勾配形成ブロックＢＧは型枠本体１０の左側板１２と右側板１３の内面上端縁に丸み付けや面取りに対応する突条を設けることで簡単に形成できる。
【図面の簡単な説明】
【００８１】
【図１】水路を構築する際に一般的に用いられる水路構築用ブロックを示す図である。
【図２】図１（Ａ）に示したブロックを用いて構築された水路構造物の縦断面図である。
【図３】本発明の第１実施形態を示す型枠（型枠本体と蓋板）の斜視図である。
【図４】図３に示した型枠本体の上面図である。
【図５】図４のａ−ａ線断面図である。
【図６】図４のｂ−ｂ線断面図である。
【図７】図１に示した型枠による勾配形成ブロックの製造プロセス説明図である。
【図８】型枠により製造された勾配形成ブロックを下面側から見た斜視図である。
【図９】勾配形成ブロックと水路構築用ブロックとの関係説明図である。
【図１０】図９（Ａ）に示したブロックを用いて構築された水路構造物に対して勾配形成ブロックを用いて水路勾配の修正及び変更を行う場合の説明図である。
【図１１】本発明の第２実施形態を示す水路構築用ブロックの斜視図である。
【図１２】図１１（Ａ）及び図１１（Ｂ）に示した水路構築用ブロックに適合した勾配形成ブロックを製造する際に用いられる蓋板の斜視図である。
【図１３】型枠により製造された勾配形成ブロックを下面側から見た斜視図である。
【図１４】本発明の第３実施形態を示す水路構築用ブロックの斜視図である。
【図１５】型枠によって製造された勾配形成ブロックを下面側から見た斜視図である。
【符号の説明】
【００８２】
１０…型枠本体、１１…ベース、１２…左側板、１３…右側板、１４…前妻板、１５…後妻板、１６…底板、１７…前側傾斜機構、１８…後側傾斜機構、１９，２０…蓋板、Ｂ１，Ｂ２…水路構築用ブロック、Ｂ１ａ，Ｂ２ａ…流水路、ＢＧ…勾配形成ブロック、ＷＳ…水路構造物、ＷＷ…水路、Ｇｗ…水路勾配。
【図１】
2008088778.tif 000003
【図２】
2008088778.tif 000004
【図３】
2008088778.tif 000005
【図４】
2008088778.tif 000006
【図５】
2008088778.tif 000007
【図６】
2008088778.tif 000008
【図７】
2008088778.tif 000009
【図８】
2008088778.tif 000010
【図９】
2008088778.tif 000011
【図１０】
2008088778.tif 000012
【図１１】
2008088778.tif 000013
【図１２】
2008088778.tif 000014
【図１３】
2008088778.tif 000015
【図１４】
2008088778.tif 000016
【図１５】
2008088778.tif 000017